(57)【要約】【課題】  ユーザにとって文字や待ちうけ画像等を見やすい表示装置を提供する。【解決手段】  人体センサを搭載した表示装置であり、この人体センサが人体が装置の近くに存在することを検出すると現在時刻の文字を大きく表示する（図５（Ａ））、そして、人体センサが人体が装置から離れていくことを検出すると、現在時刻の文字を除々に小さくしていくと共に待ちうけ画像を表示する領域を広くする（図５の（Ｂ）、（Ｃ））。このような構成とすることにより、ユーザが表示装置から遠くにいる際には文字を大きくなるためにユーザが文字を見ることが可能であり、ユーザが表示装置の近くにいる際には小さい文字でもユーザは文字を見ることが可能である。【選択図】  図５
2010249862.tif 000002
【特許請求の範囲】
【請求項１】
画像を表示可能な表示装置であり、人体と表示装置との距離を検出する距離検出手段と、当該距離検出手段の検出結果に基づいて前記表示装置に表示する画像を切替える切替手段と、を有することを特徴とする表示装置。
【請求項２】
文字を表示可能な表示装置であり、人体と表示装置との距離を検出する距離検出手段と、当該距離検出手段の検出結果に基づいて前記表示装置に表示する文字の大きさを変化させる切替手段と、を有することを特徴とする表示装置。
【請求項３】
文字を表示可能な表示装置であり、人体と表示装置との距離を検出する距離検出手段と、
当該距離検出手段が、人体が前記表示装置から離れた位置に存在すると判定すると、前記表示装置に表示する文字の大きさを大きくし、前記距離検出手段が、人体が前記表示装置の近くの位置に存在すると判定すると、前記表示装置に表示する文字の大きさを小さする切替手段と、を有することを特徴とする表示装置。
【発明の詳細な説明】
【技術分野】
【０００１】
本発明は表示装置に関する。
【背景技術】
【０００２】
近年では、カメラで撮影した画像等を表示するデジタルフォトフレームが製品化されている。このデジタルフォトフレームでは、待受け時にメモリに格納されている画像をスライド形式で切り替え表示する機能や、音楽を再生する機能等が搭載されている。
【０００３】
又、表示装置に関する特許文献も数多く存在し、例えば特許文献１では、人が近づいたことを検出すると自動的に音声と発光を行う価格表示装置が提案されている。
【先行技術文献】
【特許文献】
【０００４】
【特許文献１】特開平８−３０２１８号公報
【発明の概要】
【発明が解決しようとする課題】
【０００５】
しかしながら、上記特許文献１に記載の技術では、人が近くにいる場合と遠くにいる場合とで表示形態を変えることについては全く考慮されていない。このような技術では、例えばユーザが表示装置から離れた位置にいる場合に小さな文字を表示してもユーザは何が表示されているかを見ることができないといった問題が生じる。
【課題を解決するための手段】
【０００６】
請求項１に記載の発明は、画像を表示可能な表示装置であり、人体と表示装置との距離を検出する距離検出手段と、当該距離検出手段の検出結果に基づいて前記表示装置に表示する画像を切替える切替手段と、を有することを特徴とする。
請求項２に記載の発明は、文字を表示可能な表示装置であり、人体と表示装置との距離を検出する距離検出手段と、当該距離検出手段の検出結果に基づいて前記表示装置に表示する文字の大きさを変化させる切替手段と、を有することを特徴とする。
請求項３に記載の発明は、文字を表示可能な表示装置であり、人体と表示装置との距離を検出する距離検出手段と、当該距離検出手段が、人体が前記表示装置から離れた位置に存在すると判定すると、前記表示装置に表示する文字の大きさを大きくし、前記距離検出手段が、人体が前記表示装置の近くの位置に存在すると判定すると、前記表示装置に表示する文字の大きさを小さする切替手段と、を有することを特徴とする。
【発明の効果】
【０００７】
本発明によれば、表示装置からのユーザの存在する距離に応じて文字や待ちうけ画像等を切替えるため、ユーザの位置に応じてユーザの見やすい文字や画像を見せることが可能である。又、表示装置からのユーザの存在する距離に応じて文字の大きさを切替えるため、ユーザの位置に応じてユーザの見やすい大きさで文字を見せることが可能である。
【図面の簡単な説明】
【０００８】
【図１】本発明を適用してなる実施例装置である表示装置の外観図である。
【図２】本実施例装置の裏面側を示す図である。
【図３】本実施例装置のブロック図である。
【図４】本実施例装置の表示形態を示す一例である。
【図５】本実施例装置の表示形態を示す一例である。
【図６】本実施例装置を携帯電話に適用した際の表示形態の一例である。
【発明を実施するための形態】
【０００９】
次に、本発明の一実施形態に係る表示装置について、図面を参照して説明する。なお、本実施形態ではデジタルフォトフレームを例に実施しているが、本発明はデジタルフォトフレームに限らず、テレビ放送を視聴可能な液晶テレビ、プラズマディスプレイ、或いは表示装置を搭載した携帯電話装置やコードレス電話装置等の電子機器にも同様に適応可能である。
【実施例】
【００１０】
図１は、本発明の実施例に係るデジタルフォトフレームの一例を示す斜視図、図２は、図１におけるデジタルフォトフレームの背面図、図３は、本発明の実施例に係るデジタルフォトフレームの構成を示すブロック図である。
【００１１】
本実施例に係るデジタルフォトフレーム１０（以下フォトフレーム１０と称す）は、図１で示すように、矩形で扁平状の筐体の前面に設けられた表示部１１と、筐体の背面中央に設けられたスタンド２０とからなる。そして、筐体前面の下隅には、電源スイッチ２１が設けられている。
【００１２】
また、図２で示すように、フォトフレーム１０の背面には、縦置き／横置きの調整が可能なスタンド２０の他に、上方左右両側にステレオスピーカー２２−１，２２−２と、下方右側にＤＣ電源端子２３、ＳＤカード／メモリースティック用スロット２４、ＵＳＢメモリ端子２５と、下方左側に音量ダイヤル２６、ヘッドホン端子２７、中央左側に操作部１２が設けられている。なお、本実施例では、電源スイッチ２１をフォトフレーム１０の前面側に設けているが、背面側の操作部１２に設けてもよい。
【００１３】
さらに、フォトフレーム１０は、図３に示すように、表示部１１、操作部１２、内蔵メモリ１３、外部メモリインターフェース１４、人体センサ１５、電源制御部１６、データ通信モジュール１７、音声出力部１８、制御部１９などを備えて構成されている。
【００１４】
表示部１１は、フォトフレーム１０の前面側に設けられた液晶ディスプレイから構成されるＬＣＤモジュール１１−１と、その裏面に設けられたＬＥＤ１１−２およびＬＥＤバックライトコントローラ１１−３とから構成され、制御部１９の制御により、メモリカードなどから読み出したデジタル画像データ（例えば、ＪＰＥＧファイル）がＬＣＤモジュール１１−１に再生表示される。
【００１５】
操作部１２は、フォトフレーム１０の背面側に設けられた複数の操作ボタン１２−１から構成される。また、複数の操作ボタンは、具体的には、図２で示すように、表示部１１にメニュー画面を表示させるためのメニューボタン、スライドショー再生を止めるための画面消去ボタン、通常のスライドショー再生に戻すための戻るボタン、設定項目を選んだり画像データを切り換えるために次の画像データを再生したりするための次へボタン、設定項目を選んだり１つ前の画像データを再生したりするための前へボタン、設定項目を選んだり画像データを回転させたりするための回転ボタン、設定項目を選んだり表示部１１の明るさを調節したりするための明るさボタン、スライドショー再生を一時停止させたり選択した設定を確定させたりするための決定ボタンなどから構成されている。尚、これら操作ボタンは筐体前面側に配置させても良い。
【００１６】
内蔵メモリ１３は、後述する制御部１９がプログラム実行中に一時的に保持する必要の生じたデータが保存されるワーク用メモリであるＳＤＲＡＭ１３−１や、メモリカードなどから読み出された音楽データ（例えば、ＭＰ３形式の音楽ファイル）が保存されるユーザ領域などからなるＮＡＮＤ型フラッシュメモリ１３−２などから構成されている。音楽データは、後述するように、ＳＤメモリカードなどの可搬型記憶媒体からコピーすることによって得てもよいし、ＷＬＡＮを介して所定のサーバからダウンロードすることによって得てもよい。
【００１７】
外部メモリインターフェース１４は、ＳＤメモリカードやメモリースティックを差し込むためのスロット２４を備え、差し込まれたメモリカードの読み書きを行うＳＤアダプタ１４−１、差し込まれたメモリースティックの読み書きを行うＭＳアダプタ１４−２や、ＵＳＢメモリを差し込むためのポート２５を備えたＵＳＢコネクタ１４−３などから構成されている。
【００１８】
人体センサ１５は、ユーザがフォトフレーム１０に近づいたか或いは離れたかを検出する為のセンサであり、検知された制御信号は制御部１９へ出力される。このフォトセンサ１５は、フォトフレーム１０の前面側に設けることがより望ましい。
【００１９】
電源制御部１６は、フォトフレーム１０内の各部に対して電力の供給を行う。供給される電力は、電源端子２３に接続された電源アダプタを介して外部電源から得るようにしてもよく、あるいはフォトフレーム１０内に設けた充電地（図示せず）などから得るようにしてもよい。
【００２０】
データ通信モジュール１７は、無線通信でデータの送受信を行うＷＬＡＮモジュール１７−１や、赤外線を利用して近距離データ通信を行うＳＩＲ（Ｓｅｒｉａｌ  ＩｒＤＡ）モジュール１７−２などから構成されている。
【００２１】
音声出力部１８は、メモリカードなどから読み出された音楽データを再生して出力するために、Ｄ／Ａコンバータ（ＤＡＣ）、アンプ、スピーカー２２−１，２２−２などから構成されている。さらに、音声出力部１８は、図３で示すように、音量を調節するための音量ダイヤル２６やヘッドホンを接続するためのヘッドホン端子２７を備えている。
【００２２】
制御部１９は、マイクロプロセッサを主たる構成要素とし、一般的なコンピュータ装置と同様に各種クロックパルスを生成して、ＮＡＮＤ型フラッシュメモリ１３−２に格納されている制御プログラムに基づき各部動作を制御する。また、ＳＤＲＡＭ１３−１には、プログラム実行中に一時的に保持する必要の生じたデータを保存する。
【００２３】
また、制御部１９は、操作部１２からの操作入力に応じてスロット２４に差し込まれたＳＤメモリカードやメモリースティックに画像データとして記録されているＪＰＥＧ形式の画像ファイル（ＪＰＥＧファイル）をＮＡＮＤ型フラッシュメモリ１３−２のユーザ領域へコピーして保存したり、ＳＤメモリカードなどの画像データやＮＡＮＤ型フラッシュメモリ１３−２に保存されている画像データを表示部１１にスライドショー再生させたりする。
【００２４】
さらに、制御部１９は、操作部１２からの操作入力に応じてスロット２４に差し込まれたＳＤメモリカードやメモリースティックに音楽データとして記録されているＭＰ３形式の音楽ファイル（ＭＰ３ファイル）をＮＡＮＤ型フラッシュメモリ１３−２のユーザ領域へコピーして保存したり、ＳＤメモリカードなどの音楽データやＮＡＮＤ型フラッシュメモリ１３−２に保存されている音楽データを再生させて音声出力部１８から出力させたりする。
図４は、本実施例装置の表示形態を示す一例である。本実施例装置では、待ちうけ時には表示部１１に図４に示すように時刻や日付を表示することが可能であり、又、内蔵メモリ１３や外部メモリ１４から読み込んだ画像を表示部１１に表示することが可能である。
図５は、人体センサ１５の検出状態に応じて表示部１１の表示形態が変化するところを示している。まず、ユーザがフォトフレーム１０から離れた位置（例えば、フォトフレーム１０から１メートル以上）にいる場合には、人体センサ１５がユーザがフォトフレーム１０から１メートル以上の位置にいることを検出しており、図５の（Ａ）に示すように現在時刻が大きな文字で表示されると共に、現在時刻の下方には今日の日付が表示される。
【００２５】
続いてユーザがフォトフレーム１０に近づくと、人体センサ１５が、ユーザがフォトフレーム１０に近づくことを検出し、例えばユーザがフォトフレーム１０から１メートル未満５０センチ以上までの距離にいることを人体センサ１５が検出すると、図５の（Ｂ）に示すように、現在時刻と日付が画面右下に表示されると共に、内蔵メモリ１３或いは外部メモリから受信した画像データを表示する。
【００２６】
更にユーザがフォトフレーム１０に近づくと、人体センサ１５が、ユーザがフォトフレーム１０に更に近づくことを検出し、例えばユーザがフォトフレーム１０から５０センチ未満にいることを人体センサ１５が検出すると、図５の（Ｃ）に示すように、現在時刻と日付が更に小さく画面右下に表示されると共に、内蔵メモリ１３或いは外部メモリから受信した画像データを表示する。
【００２７】
このように、ユーザがフォトフレーム１０の遠くにいる際には、現在時刻を大きな文字で表示し、逆に近くにいる際には、現在時刻を小さな文字で表示すると共に待ちうけ画像を表示する。このような構成とすることにより、ユーザはフォトフレーム１０から離れていても文字を見ることが可能であり、一方、ユーザがフォトフレーム１０の近くにいる状態では文字が小さくてもユーザが文字を見ることが可能である為、文字を表示する領域よりも風景等の待ちうけ画像を表示する領域を広くとり、ユーザのお気に入りの画像を表示することによりユーザを楽しませることが可能である。
【００２８】
尚、本実施例装置では、ユーザがフォトフレーム１０の遠くにいると現在時刻等の数字を大きく表示する構成としたが、数字に限らず、文字や図形や画像等を大きく表示し、ユーザがフォトフレーム１０から近づくにつれて文字や図形や画像等を段階的に小さく表示する構成としても良い。
【００２９】
他の実施形態として、本実施例装置を以下のような構成にしても良い。例えば、（１）表示する画像を固定せずに、複数の画像を切替えて表示する所謂スライドショー形式で画像を表示しても良く、又、動画を表示しても良い。更に、ユーザが近くにいる状態では現在時刻等を表示し、ユーザが離れるにつれて現在時刻等を表示せずにユーザのお気に入りの画像のみを表示する形態としても良い。
（２）本実施例ではユーザがフォトフレーム１０から離れる或いは近づくにつれて段階的に表示画面を変化させたが、段階的にではなく除々に変化させる構成としても良い。例えば、ユーザがフォトフレーム１０に近づくにつれて現在時刻の大きさを除々に小さくする構成としても良い。
【００３０】
（３）携帯電話やコードレス電話等に搭載された表示装置においても本発明を適用可能である。例えば、携帯電話に人体センサを搭載させ、ユーザが携帯電話に近づいた状態（例えば、ユーザが携帯電話を持った状態）では、文字やアイコンを小さく表示し、ユーザが携帯電話から離れた状態（例えば、携帯電話を充電器に置いた状態でユーザが１メートル以上離れた状態）では、現在時刻やアイコン等を大きく表示するようにしても良い。例えば、図６に示すように、ユーザが携帯電話に近づくとメールのアイコン（Ａ）や現在の天気状況を示すカサマーク（Ｂ）を大きく表示し、ユーザが携帯電話から離れるとこれらアイコンやマークを小さく表示するようにしても良い。
【符号の説明】
【００３１】
１１      表示部
１３      内蔵メモリ
１４      外部メモリＩ／Ｆ
１５      人体センサ
１９      制御部
【図１】
2010249862.tif 000003
【図２】
2010249862.tif 000004
【図３】
2010249862.tif 000005
【図４】
2010249862.tif 000006
【図５】
2010249862.tif 000007
【図６】
2010249862.tif 000008